(57)【要約】【課題】人体の細胞を活性化して健康維持を図ることのできるマットを提供すること。【解決手段】マット１０は、一対の表皮部材１１Ａ、１１Ｂ間にトルマリン不織布１２と複数の特殊セラミック粒状物１３を収納している。トルマリン不織布１２はトルマリンレーヨン製繊維１２１とポリエステル製繊維１２２とを混在させて形成する。特殊セラミック粒状物１３は、トルマリン鉱石、アバタイト、水晶を含んで構成する。表皮部材１１には、特殊セラミック粒状物１３を配置した位置に小孔１１１を形成する。このマット１０を、ランドセルの底壁部上に載置するかあるいは背あて部内に埋設するか、また、肩ベルトに装着する。【選択図】図２
2008073331.tif 000002
【特許請求の範囲】
【請求項１】
表皮部材あるいは表皮部材内にマイナスイオン発生部材が配設されていることを特徴とするマット。
【請求項２】
前記マイナスイオン発生部材が、トルマリンレーヨンとポリエステルからなるトルマリン不織布で形成されていることを特徴とする請求項１記載のマット。
【請求項３】
前記マイナスイオン発生部材が、トルマリンレーヨンとポリエステルからなるトルマリン不織布と、トルマリン、アバタイト、水晶を含む特殊セラミック粒状物とを備えて構成されることを特徴とする請求項１記載のマット。
【請求項４】
前記表皮部材が前記マイナスイオンを放出する孔部を複数形成していることを特徴とする請求項１，２又は３記載のマット。
【請求項５】
背負い収納体に装着されてなる請求項１，２，３又は４記載のマット。
【発明の詳細な説明】
【技術分野】
【０００１】
本発明は、主にランドセルや背負いバッグ等の背負い収納体に収納されるマットに関する。
【背景技術】
【０００２】
子供たちが背負うランドセルや背負いバッグ等の背負い収納体は、略毎日使用されて重い荷物を収納するため、背中を痛めたり、肩が凝ったりして身体的に負担となっている。これらの負担を軽減するための改良が従来よりなされている。例えば、ランドセルにおいては、特開２００２−５１８１４に知られているように、ランドセル本体部に温度調整シート層を形成して、夏季には温度を低くし冬季には温度を上げるように四季を通じて背負いやすいように構成したり、また特開２００６−６８４３０に知られているように、肩ベルトを肩にフィットするように構成して、ランドセル本体を肩から垂れ下がらないようにしたりしていた。
【０００３】
一方、近年、人体中の老廃物を排出しやすくして細胞を活発化させる「マイナスイオン」が注目されている。「マイナスイオン」は健康維持又は向上のために、食物を食することによって体内で発生する酸性を、アルカリを動員することによって中和する役目を有している。このマイナスイオンを発生させる部材のひとつとして「トルマリン鉱石」が注目されるようになってきた。「トルマリン鉱石」は電気石と呼ばれているように、自然の状態で電子を流し続けるものとして知られている。
【０００４】
このトルマリン鉱石をランドセルに使用して、子供たちの人体細胞を活発化して健康を維持する試みが、特許文献１によって開示されている。これによると、ランドセルの背部と肩ベルトの内側にトルマリンファイバーを挿入している。これによってランドセルと健康器具とを一体的に形成することができ、子供達の健康維持に役立つこととなっていた。
【特許文献１】実用新案登録第３０８６８５３号公報
【発明の開示】
【発明が解決しようとする課題】
【０００５】
しかし、特許文献１に示されているトルマリンファイバーは、その構成や効果の詳細が開示されていないことから、マイナスイオンを効果的に発生させることができずに実用的ではなかった。
【課題を解決するための手段】
【０００６】
本発明は、上述の課題を解決するものであり、使用者の人体細胞を活発化させて健康維持を図るとともに、ランドセルや背負いバッグ等の背負い収納体に装着することによってマイナスイオンを効果的に発生させる実用的なマットを提供することを目的とする。そのために、本発明に係るマットは以下のように構成するものである。すなわち、
請求項１記載の発明では、表皮部材あるいは表皮部材内にマイナスイオン発生部材が配設されていることを特徴とするものである。
【０００７】
請求項２記載の発明では、前記マイナスイオン発生部材が、トルマリンレーヨンとポリエステルからなるトルマリン不織布で形成されていることを特徴としている。
【０００８】
請求項３記載の発明では、前記マイナスイオン発生部材が、トルマリンレーヨンとポリエステルからなるトルマリン不織布と、トルマリン、アバタイト、水晶を含む特殊セラミック粒状物とを備えて構成されることを特徴としている。
【０００９】
請求項４記載の発明では、前記表皮部材が前記マイナスイオンを放出する孔部を複数形成していることを特徴としている。
【００１０】
請求項５記載の発明では、背負い収納体に装着されてなることを特徴としている。
【発明の効果】
【００１１】
本発明によれば、マットには表皮部材の内部にマイナスイオン発生部材が封入されているか、あるいは表皮部材の表面にマイナスイオン発生部材が付着している。このマットを、例えば、ランドセルや背負いバッグ等の背負い収納体に収納する。これによって、背負い収納体を背負う使用者は、マットから発生するマイナスイオンを吸収することができる。そのため、体内の細胞を活発化して活力を出すことができ健康維持に役立つこととなる。また、このマットから発生するマイナスイオンを効果的に出すためには、マットの表皮部材に複数の孔を形成することが望ましい。表皮部材内に封入されているマイナスイオン発生部材は、表皮部材の小孔からマイナスイオンを積極的に放出することとなって、人体に吸収でき体内の細胞を活性化させることができる。
【００１２】
このマイナスイオンは、例えば、トルマリンを含んだものを使用することができる。トルマリンの一形態は、トルマリンレーヨンとポリエステルからなるトルマリン不織布を板状に形成して表皮内に封入する。また、別の形態としては、トルマリン、アバタイト、水晶を含む特殊セラミック粒状物をトルマリン不織布と併用して封入することも可能である。いずれもマイナスイオンを発生することから、人体にマイナスイオンを吸収して細胞を活性化させることとなる。
【発明を実施するための最良の形態】
【００１３】
次に本発明の一形態のマットについて図面に基づいて説明する。
【００１４】
図１〜２に示すように、実施形態のマット１０は、矩形板状に形成され、合成皮革で形成された一対の表皮部材１１（下層部１１Ａ、上層部１１Ｂ）と、表皮部材１１内の内部に封入される板状のトルマリン不織布１２と粒状の複数の特殊セラミック粒状物１３とから構成されている。
【００１５】
実施形態における表皮部材１１は、牛革あるいは合成皮革で形成され、下層部１１Ａと上層部１１Ｂに一対配置されるとともに、下層部１１Ａと上層部１１Ｂにマイナスイオンを放出する複数の小孔１１１を形成している。この小孔１１１はランダムに形成されていてもよく、また、同心円状、楕円状に形成されていてもよい。
【００１６】
トルマリン不織布１２は、図３に示すように、トルマリンレーヨン製繊維１２１とポリエステル製繊維１２２とを混在させて形成する不織布であって、矩形板状に形成されている。トルマリンレーヨン製繊維とポリエステル製繊維とは約半々、５：５の比率で形成されるか、あるいは、３：７の比率で形成されている。このトルマリン不織布は、従来のクッション材の代わりに配置することができ、また、クッション材と併用して配置することもできる。
【００１７】
また、特殊セラミック粒状物１３は、トルマリンと、アバタイト、水晶を含む材料のほか天然鉱石や竹炭等を組み合わせた微粉末と、粉末を適度な大きさに焼成して構成され、粒状に形成したものである。この特殊セラミック粒状物１３は、一形態として登録商標名「セラフォトン」で商品化されているものを使用するものであり、表１（参考）に示すように、高波動値であることが確認されている。この表１は、社団法人緑十字社国際波動研究所の調べによるものである。
【００１８】
なお、「波動」に関しては、上記社のホームページによれば、『「この世のものはすべて固有の振動（波動）を発している」という前提に立って、この「固有の振動」と共鳴しているか、非共鳴なのかの程度を人間の第六感のようなセンサー（共鳴磁場体：音叉のイメージ）と機械を併用して尺度化している。わが国では江本勝氏が紹介した米国のウエインストック氏開発の（Magnetic Resonance Analyzer）という測定機械と尺度（−２１から＋２１までの整数の尺度）が一般的となっている。』と紹介されている。
【００１９】
なお、数値が多いことが人体に与える効果が大きいとされている。
【表１】
2008073331.tif 000003
(単位はなし)
Ｘ：鉱石１〜５を含む特殊セラミック粒状物
Ｙ：鉱石１〜６を含む特殊セラミック粒状物
上記の表に示すように、特殊セラミック粒状物１３は、複数の鉱石からなり、複数の鉱石の組み合わせによる特殊セラミック粒状物１３の波動値は、各鉱石の単独の値よりより高い値を示し、その波動値からみた相乗効果が大きいことがわかる。
【００２０】
そして、二層の表皮部材１１Ａ、１１Ｂ内にトルマリン不織布１２を重合し、トルマリン不織布１２の一方側の面に複数の特殊セラミック粒状物１３を載置している。そして２枚の表皮部材１１の縁部を、内部にトルマリン不織布１２と特殊セラミック粒状物１３を封入した状態で縫合している。
【００２１】
この縫合状態は、表皮部材１１の周縁部だけでなく粒状の特殊セラミック粒状物１３が横ずれしない位置に固定した状態で縫合することが望ましく、図例においては、六等分された尖状部を外周部に有する星印状に形成されるとともに、一筆書き状態で連続して縫合されている。そして、特殊セラミック粒状物１３の収納位置は、外周縁６箇所の三角形の中に入るように配置されている。
【００２２】
また、実施形態における表皮部材１１Ａ及び１１Ｂに形成された小孔１１１は、特殊セラミック粒状物１３の配置された位置において特殊セラミック粒状物１３の粒状の大きさより小径に形成されている。なお、図例においては、特殊セラミック粒状物１３がトルマリン不織布１２の上方に配置されているが、特殊セラミック粒状物１３がトルマリン不織布１２の下方に配置されていてもよい。
【００２３】
上述のように構成されたマット１０は、図４に示すように、ランドセル１（又は背負いバッグ）の底壁部３上に収納される。ランドセル１は、合成皮革で形成された底壁部３、両側壁部４、４、後壁部５、背あて部６を有して上部が開口した箱状に形成され、上部に開閉カバー７が配置されている。また、背あて部６と底壁部３の下面側とを接続するように、一対の肩ベルト８、８が掛止されている。マット１０は底壁部３の上面に固着された樹脂製の底板９上に、そのまま載置されるかあるいは縫合して装着されている。なお、マット１０を、直接、底壁部３上に配置することによって、底板９を削除して、マット１０を底板９の代わりに使用することもできる。
【００２４】
マット１０がランドセル１の底壁部３上に載置されることによって、トルマリン不織布１２あるいは特殊セラミック粒状物１３からマイナスイオンが放出され、さらに、教科書やノート等の書籍をランドセル内に収納する際にマット１０を押圧するとともにランドセル１を背負って通学する際にランドセルが揺られることによって、マット１０から放出されたマイナスイオンがさらに空気中で拡散される。空気中を流れるマイナスイオンは、使用者の人体内に吸収されて細胞を活性化させる。
【００２５】
マット１０はランドセル１の底壁３上に配置されるだけでなく、両側壁部４、４又は後壁部５に立て掛けるように配置してもよい。さらには、図５に示すように、背あて部６内に埋設するようにしてもよい。背あて部６はその両端部が膨らみを有して形成され、その膨らみ部にマット１０が埋設される。背あて部６は使用者の背中に当たることから、通常はクッション部材が挿入されている。マット１０内のトルマリン不織布はクッション性も有しているから、クッション部材を取り除いて代用することができる。
【００２６】
さらに、マット１０を、図６に示すように、一対の肩ベルト８、８に巻き付けた状態で縫合するか、あるいは一方の面（表面）に重合させた状態で縫合してもよい。背あて部６及び肩ベルト８は、直接使用者に接触するため、マット１０から発生したマイナスイオンは、人体に吸収しやすくその効果は顕著となる。
【００２７】
なお、マット１０を肩ベルト８に装着する際、図７に示すように、マット１０と反射板１４とを伸縮バンド１５で接続し、マット１０と反射板１４との間に肩ベルト８を挿通して装着してもよい。この場合、反射板１４は合成皮革の板状物の一方の面に反射塗料を塗布したもので形成し、マット１０を肩ベルト８の裏面側にして、反射板１４の反射塗料を塗布した面を肩ベルト８の表面側に配置するように肩ベルト８に装着する。これによると、ランドセル１を背負う使用者（子供たち）は、マット１０から発生するマイナスイオンにより健康維持ができるとともに、反射板１４により、例えば、自動車の運転手が子供の所在を確認できて安全に登下校することができる。
【００２８】
また、図８に示すように、マット１０と反射板１４とを縫合して一体化したものに伸縮バンド１５を両端に取り付け、マット１０側に肩ベルト８を挿通して使用することもできる。
【００２９】
上述のように、実施形態のマット１０は、マイナスイオン発生部材としてのトルマリン不織布１２と波動値の大きい特殊セラミック粒状物１３を一対の表皮部材１１Ａ、１１Ｂ内に収納している。そしてこのマット１０をランドセル１や背負いバッグ等の背負い収納体に収納していることや肩ベルト８に装着していることから、使用者、特に子供たちの人体の細胞を活性化して健康を維持することができる。
【００３０】
また、表皮部材１１に小孔１１１を形成してマイナスイオンを効率よく放出させていることから、さらに細胞の活性化を促進することができる。
【００３１】
さらに、下層部の表皮部材１１Ａと上層部の表皮部材１１Ｂとを一筆書き状態で縫合することから縫合作業も短時間で行うことができる。
【００３２】
なお、本発明のマットは、上記の形態に限定するものではない。例えば、マット１０の外径は矩形状ではなくても円形や楕円形あるいは多角形状であってもよい。また、マット１０内に配置される特殊セラミック粒状物１３の位置はトルマリン不織布１２上のランダムに配置されていてもよい。そして縫合する位置は、１個の特殊セラミック粒状物１３を囲うようにすれば、特に、その縫合形状に限定するものではない。
【００３３】
また、マイナスイオン発生部材をマット内に封入するのではなく、例えば、「セラフォトン」の粉体状のものを表皮部材の表面に付着するだけでマットを形成するか、トルマリン不織布を内部に封入した状態で、「セラフォトン」の粉体状のものを表皮部材の表面に付着したマットを形成してもよい。
【００３４】
さらに、マイナスイオン発生部材は、トルマリンに限らず、マイナスイオンを発生する部材、例えば、チタンや鈴等を含んだもので形成するものであってもよい。
【図面の簡単な説明】
【００３５】
【図１】本発明の一形態によるマットを示す平面図である。
【図２】同断面図である。
【図３】図２におけるトルマリン不織布を示す構成図である。
【図４】図１のマットをランドセルの底壁部上に収納する状態を示す分解斜視図である。
【図５】図１のマットをランドセルの背あて部に埋設した状態を示す断面図である。
【図６】図１のマットをランドセルの肩ベルトに装着した状態を示す斜視図である。
【図７】図６におけるVII−VII断面図である。
【図８】図７における別の形態を示す断面図である。
【符号の説明】
【００３６】
１、ランドセル
３、底壁部
６、背あて部
８、肩ベルト
１０、マット
１１、表皮部材
１１１、小孔
１２、トルマリン不織布
１２１、トルマリンレーヨン製繊維
１２２、ポリエステル製繊維
１３、特殊セラミック粒状物                                                                               
【図１】
2008073331.tif 000004
【図２】
2008073331.tif 000005
【図３】
2008073331.tif 000006
【図４】
2008073331.tif 000007
【図５】
2008073331.tif 000008
【図６】
2008073331.tif 000009
【図７】
2008073331.tif 000010
【図８】
2008073331.tif 000011